(57)【要約】【課題】  製造に係るリードタイムの短縮を図るとともに、ケーブルのロスを削減することが可能な、また、大型撚り機を必要とせず、製造時に安全に作業することが可能なブランチケーブルの製造方法を提供することを課題とする。【解決手段】  ケーブル端末部から布設時のケーブル吊り上げ部分に向けてブランチケーブルを製造するための方法であり、支持線の周囲に複数の通信ケーブルを撚り合わせるとともにこの外周に押さえ巻きを施す工程Ｓ１又はテープ結束を施す工程をケーブル分岐部分となる位置まで行い（Ｓ２）、この位置においては分岐対象となる前記通信ケーブルを所定長さで抜き取り切断する工程Ｓ３又は切断し抜き取りする工程を行い、これらを含む工程を１セットとして所望のセット数分繰り返す。【選択図】    図１
2007005040.tif 000002
【特許請求の範囲】
【請求項１】
ケーブル端末部から布設時のケーブル吊り上げ部分に向けてブランチケーブルを製造するための方法において、
支持線の周囲に複数の通信ケーブルを撚り合わせるとともにこの外周に押さえ巻きを施す工程又はテープ結束を施す工程をケーブル分岐部分となる位置まで行い、該位置においては分岐対象となる前記通信ケーブルを所定長さで抜き取り切断する工程又は切断し抜き取りする工程を行い、これらを含む工程を１セットとして所望のセット数分繰り返す
ことを特徴とするブランチケーブルの製造方法。
【請求項２】
請求項１に記載のブランチケーブルの製造方法において、
布設時における作業者用の識別を、前記１セットの中で分岐された前記通信ケーブルに対し施す、又は前記ケーブル端末部の位置で前記通信ケーブルに対し施す
ことを特徴とするブランチケーブルの製造方法。
【請求項３】
請求項１又は請求項２に記載のブランチケーブルの製造方法において、
前記複数の通信ケーブルの撚り合わせにＳＺ撚り機を用いる
ことを特徴とするブランチケーブルの製造方法。
【発明の詳細な説明】
【技術分野】
【０００１】
本発明は、ブランチケーブルの製造方法に関する。
【背景技術】
【０００２】
マンションやビルディング、集合住宅、工場等における情報供給のための屋内配線として用いられるケーブルとしては、支持線の周囲に複数本のＬＡＮ用ケーブルや電話用ケーブルなどの通信ケーブルを巻き付けてなる構成のブランチケーブル（又は分岐型ケーブル）が知られている（例えば特許文献１参照）。
【０００３】
図３には従来例のブランチケーブルの端面図が示されている。ブランチケーブル１３０は、複数本の鋼線を撚り合わせてなる支持線１３１の周囲に、ＬＡＮ用または電話用の通信ケーブル１３２が複数本巻き付けられて撚り合わせられている。各通信ケーブル１３２のシース表面には、電気配線図面（図示省略。例えばマンションの電気配線図面等がこれに相当する）に対応するナンバリングが全長に施されている。図４はナンバリングのイメージを示しており、図中○印内の数字が識別のためのナンバリングの番号を表している。
【０００４】
製造後のブランチケーブル１３０は、上記電気配線図面に基づいて、撚り合わせられた複数の通信ケーブル１３２のうちの対象のものを撚り戻し、電気配線図面通りの間隔で分岐処理を施し、例えば図５に示すような状態で配線されている。上記撚り戻しの際には、通信ケーブル１３２のシース表面のナンバリングを見ながら作業が行われるようになっている。
【０００５】
ブランチケーブル１３０の製造に関しては、分岐処理を施す前までの純粋なブランチケーブル製造工程と、分岐処理を施すための撚り戻し工程との、別々な２つの工程を経て製造がなされるようになっている。前者となるブランチケーブル製造工程においては、大型の設備を備える既知の撚り製造ラインが用いられている。
【０００６】
図５において、上記のように製造されたブランチケーブル１３０は、マンション等の建物の屋内においてＬＡＮ配線や電話配線をする際に、マンション等の最下階から最上階までブランチケーブル１３０の支持線１３１を通して、天井に取り付けられたフック１３３で支持線１３１を支持し、分岐した通信ケーブル１３２をそれぞれの機器１３４へ配線する作業が行われるようになっている。
【特許文献１】特開２００５−５３５３０号公報
【発明の開示】
【発明が解決しようとする課題】
【０００７】
ところで、上記従来技術にあっては、電気配線図面が確定すると通信ケーブル１３２の巻き付け本数やナンバリングの番号等が確定し、この上ではじめてブランチケーブル１３０の製造に取りかかれるような状況になっている。そして、上記ブランチケーブル製造工程と上記撚り戻し工程との別々な２つの工程を経ることにより、ブランチケーブル１３０の製造が完了するようになっている。上記従来技術にあっては、製造に関して次のような幾つかの問題点を有している。
【０００８】
１つ目としては、別々な２つの工程を経なければならないことから、製造に係るリードタイムが長くなるという問題点を有している。また、２つ目としては、別々な２つの工程を経なければならないことから、２工程分の生産計画を立てる必要性があり、この分の手間が掛かってリードタイムが更に長くなってしまうという問題点を有している。また、３つ目としては、上記撚り戻し工程において不要な通信ケーブル１３２を切断しなければならないことから、大量のケーブルのロスが発生してしまうという問題点を有している。また、４つ目としては、各通信ケーブル１３２のシース表面にナンバリングを施すための専用の工程が必要であることから、製造に係るリードタイムが更に長くなってしまうという問題点を有している。
【０００９】
一方、上記従来技術におけるブランチケーブル製造工程においては、既知の撚り製造ラインを用いていることから、次のような問題点を有している。すなわち、既知の撚り製造ラインは、サプライドラムを回転させる星型、巻取りドラムを回転させる巻取り回転型などの撚り機を備えて構成されており、この撚り機は重量のあるサプライスタンドや巻取りスタンドを回転させるための大きな動力、モータなどを構成に必要とすることから、撚り機自体が大型化してしまうという問題点を有している。また、重量のあるサプライスタンドや巻取りスタンドのような回転物をライン中に含むことから、安全性に配慮すると、上記撚り戻し工程を一体化することはできないという問題点を有している。
【００１０】
本発明は、上述した事情に鑑みてなされたもので、製造に係るリードタイムの短縮を図るとともに、ケーブルのロスを削減することが可能なブランチケーブルの製造方法を提供することを課題とする。また、大型撚り機を必要とせず、製造時に安全に作業することが可能なブランチケーブルの製造方法を提供することを課題とする。
【課題を解決するための手段】
【００１１】
上記課題を解決するためになされた請求項１記載の本発明のブランチケーブルの製造方法は、ケーブル端末部から布設時のケーブル吊り上げ部分に向けてブランチケーブルを製造するための方法において、支持線の周囲に複数の通信ケーブルを撚り合わせるとともにこの外周に押さえ巻きを施す工程又はテープ結束を施す工程をケーブル分岐部分となる位置まで行い、該位置においては分岐対象となる前記通信ケーブルを所定長さで抜き取り切断する工程又は切断し抜き取りする工程を行い、これらを含む工程を１セットとして所望のセット数分繰り返すことを特徴としている。
【００１２】
このような特徴を有する本発明によれば、ブランチケーブルが布設時の下側となる部分から製造される。ここで下側とは、建物にブランチケーブルを布設する際の下側となる側であり、布設時のケーブル吊り上げ部分の反対側、すなわちケーブル端末部に相当するケーブル径の太い側であるものとする。ブランチケーブルの製造に関しては、最初のケーブル分岐部分となる位置まで撚り及び押さえ巻きをする工程又は撚り及びテープ結束を施す工程が行われ、その後、最初の分岐位置において、電気配線図面の指示長で分岐対象の通信ケーブルを抜き取り切断する工程又は切断し抜き取りする工程が行われる。最初のケーブル分岐部分となる位置での上記工程の実施後、２番目のケーブル分岐部分となる位置まで再度、撚り及び押さえ巻きをする工程又は撚り及びテープ結束を施す工程が行われる。また、分岐される通信ケーブルを指示長で抜き取り切断する工程又は切断し抜き取りする工程も行われ、これら工程が最後のケーブル分岐部分となる位置まで繰り返される。最後の通信ケーブルを抜き取り切断又は切断し抜き取りした後には、残って露出した支持線に吊り上げ用の治具が取り付けられる。この治具は、上記ケーブル吊り上げ部分に取り付けられる。
【００１３】
請求項２記載の本発明のブランチケーブルの製造方法は、請求項１に記載のブランチケーブルの製造方法において、布設時における作業者用の識別を、前記１セットの中で分岐された前記通信ケーブルに対し施す、又は前記ケーブル端末部の位置で前記通信ケーブルに対し施すことを特徴としている。
【００１４】
このような特徴を有する本発明によれば、分岐された通信ケーブルに対して、又はケーブル端末部の位置の通信ケーブルに対して、布設時における作業者用の識別が施される。この識別は、例えばラベルの貼り付け等によってなされ、布設時において作業者が識別することのできる位置に施される。この位置としては、分岐された通信ケーブルの取り出し位置、分岐された通信ケーブルの端末位置、ブランチケーブルのケーブル端末部等が挙げられる。
【００１５】
請求項３記載の本発明のブランチケーブルの製造方法は、請求項１又は請求項２に記載のブランチケーブルの製造方法において、前記複数の通信ケーブルの撚り合わせにＳＺ撚り機を用いることを特徴としている。
【００１６】
このような特徴を有する本発明によれば、サプライスタンド、巻取りスタンドを固定した状態でＳＺ撚り機のみが回転運動する。ＳＺ撚り機が回転運動することにより、複数の通信ケーブルに撚りが加えられる。複数の通信ケーブルに撚りが加えられることによって、製造されたブランチケーブルはドラム又はタバに容易に巻き取られるようになる。
【発明の効果】
【００１７】
請求項１に記載された本発明によれば、撚り戻し工程をブランチケーブル製造工程に組み込むような製造方法になる。また、分岐対象となる通信ケーブルを、ロスの発生が出ないよう所定長さで抜き取り切断するような製造方法になる。従って、製造に係るリードタイムを短縮することができるという効果を奏する。また、ケーブルのロスを削減することができるという効果を奏する。
【００１８】
請求項２に記載された本発明によれば、通信ケーブルのシース表面にナンバリングを施す工程を不要とし、結果、リードタイムを短縮することができるという効果を奏する。
【００１９】
請求項３に記載された本発明によれば、サプライスタンド、巻取りスタンドを固定した状態でＳＺ撚り機のみを回転運動させてケーブルに撚りを加えることができる。従って、動力、モータなどを小さくすることができ、結果、装置を小型化することができるという効果を奏する。また、従来のような大型撚り機を使用しないことから、製造時に安全に作業することができるという効果を奏する。
【発明を実施するための最良の形態】
【００２０】
以下、図面を参照しながら説明する。本発明のブランチケーブルの製造方法に係る製造手順を示すフローチャートである。また、図２（ａ）は製造ラインの構成説明図、図２（ｂ）はブランチケーブルの構成説明図、図２（ｃ）ブランチケーブルの模式的な全体図、図２（ｄ）は他のブランチケーブルの構成説明図である。
【００２１】
図１において、屋内配線に用いられるブランチケーブルは、主に後述するステップＳ１〜Ｓ６を順に経る工程、言い換えれば本発明の製造方法を採用して製造されるようになっている。本発明の製造方法は、従来２つの工程となっていたブランチケーブルの製造を１つの工程にしている点が特徴となっている。すなわち、ブランチケーブル製造工程と撚り戻し工程の別々な２つの工程を含む従来の製造方法から、撚り戻し工程をブランチケーブル製造工程に組み込む製造方法に変えている点が特徴となっている。本発明の製造方法は、これを実現するために、図２（ａ）に示すような製造ライン１が用いられている。先ず、製造ライン１について説明する。
【００２２】
図２（ａ）において、引用符号１で示される製造ラインは、図２（ａ）〜（ｃ）に示されるブランチケーブル２を製造するための製造ラインであって、このライン上流にはサプライスタンド３が備えられている。サプライスタンド３には、ドラム４に巻き取られた通信ケーブル５（又は束に巻き取られた通信ケーブル５）が取り付けられている。サプライスタンド３は、ブランチケーブル２において必要本数となる通信ケーブル５の数に支持線６を加えた数分だけ備えられている（数は限定されないものとする）。図中では、便宜上、サプライスタンド３が１つのみ図示されているが、実際には図面の奥方向に複数並ぶように備えられている。それぞれドラム４に巻き取られた通信ケーブル５や支持線６は、所定の並びのサプライスタンド３に取り付けられている。サプライスタンド３は、例えば床等に固定されている。
【００２３】
複数のサプライスタンド３の下流には、撚り機７が備えられている。撚り機７は、目板等を有する既知構成のものからなっている。本形態においては、ＳＺ撚りを可能とするＳＺ撚り機が撚り機７として用いられている。撚り機７には、複数の通信ケーブル５と、支持線６とが上流側から供給されるようになっている。このような撚り機７において、供給された支持線６の周囲には、通信ケーブル５が複数、ＳＺ撚りで撚り合わせられるようになっている。
【００２４】
撚り機７の下流には、押さえ巻きテーピング機８が備えられている。押さえ巻きテーピング機８は、撚り機７と同様、既知構成のものが用いられている。本形態においては、ケーブルのばらけ防止用の部材として押さえ巻きテープ９が用いられている（テープ状に限らず紐状のものであっても当然によいものとする。また、後述する結束テープ２１であってもよいものとする）。押さえ巻きテーピング機８は、ＳＺ撚りで撚り合わせた通信ケーブル５の周囲を例えば図２（ｂ）で示すような状態に固定することができるように構成されている。
【００２５】
押さえ巻きテーピング機８の下流には、引取機１０と作業台１１とが順に備えられている。引取機１０は、押さえ巻きテーピング機８から出てきた加工中のブランチケーブル２を引き取り、更に下流側の作業台１１へ送り出すために備えられている。作業台１１は、ブランチケーブル２に対して分岐処理を施したり、支持用（吊り下げ用）の治具を取り付けたりするために備えられている。尚、分岐処理等に関しては図１を参照しながら後述する。
【００２６】
作業台１１の下流には、巻取りスタンド１２が備えられている。巻取りスタンド１２は、加工後のブランチケーブル２をドラム１３（又はタバ）に巻き取るために備えられている。巻取りスタンド１２は、例えば床等に固定されている。巻取りスタンド１２は、加工後のブランチケーブル２を所定のスピードで巻き取ることができるように制御されている。この制御は、製造ライン１に備えられる図示しない制御装置により行われるようになっている。図示しない制御装置は、製造ライン１全体の制御、及び、作業台１１を使用しての後述する作業時の撚り機７や押さえ巻きテーピング機８等の制御等を行うことができるように、予めプログラミングされた状態で製造ライン１に備えられている。図示しない制御装置は、マイクロコンピュータの機能を有している。
【００２７】
次に、上記製造ライン１で製造されたブランチケーブル２の構造について説明する。
【００２８】
ブランチケーブル２は、既知の構成と同じであり、図２（ｂ）で示すように、支持線６と、この支持線６の周囲に撚り合わせられる複数の通信ケーブル５と、これらのばらけを防止する押さえ巻きテープ９とを備えて構成されている（押さえ巻きテープ９に変えて後述の結束テープ２１（図２（ｄ）参照）を備えてもよいものとする）。また、ブランチケーブル２は、図２（ｃ）に示すように、複数のケーブル分岐部分を有している。
【００２９】
ケーブル分岐部分は、例えば建物の階の数に応じて設定されており、本形態においては、便宜上３つのケーブル分岐部分が設定されている。引用符号１４はケーブル端末部を示しており、このケーブル端末部１４側から順に第１ケーブル分岐部分１５、第２ケーブル分岐部分１６、第３ケーブル分岐部分１７が設定されている。第１ケーブル分岐部分１５、第２ケーブル分岐部分１６、第３ケーブル分岐部分１７からは、分岐対象となる通信ケーブル５が所定長さで、言い換えれば分岐線が所定長さで分岐されている。
【００３０】
分岐線となる通信ケーブル５の先端には、ラベル１８が取り付けられている。ラベル１８は、布設時における作業者用の識別であり、布設時において作業者が識別できるのであれば特に位置は限定されないものとする。ラベル１８は、通信ケーブル５のシース表面にナンバリングを施すための専用の工程を不要にする効果を有している（尚、リードタイム短縮の効果が若干薄れることになるが、シース表面にナンバリングを施した通信ケーブル５を用いてもよいものとする）。
【００３１】
ケーブル端末部１４の反対側となるケーブル吊り上げ部分１９には、支持線６が露出しており、この支持線６の端部に吊り上げ用の治具２０が取り付けられている。治具２０は、建物の例えば天井に取り付けられたフック（図示省略）に引掛かり支持されるような形状に形成されている。
【００３２】
続いて、図１及び図２を参照しながら本発明の製造方法について説明する。
【００３３】
ブランチケーブル２は、製造ライン１によってケーブル端末部１４からケーブル吊り上げ部分１９に向けて製造されるようになっている。製造ライン１は、このラインの電源を入れた後に初期設定等の各種準備が完了すると、ブランチケーブル２の製造開始が可能な状態になる。そして、例えばスタートボタンを操作して製造を開始すると、先ずステップＳ１で示す撚り及び押さえ巻きの工程が行われる（この工程に変えて撚り及びテープ結束の工程を行ってもよいものとする。撚り及びテープ結束の工程については後述する）。
【００３４】
この撚り及び押さえ巻きの工程では、撚り機７において支持線６の周囲に通信ケーブル５を複数、ＳＺ撚りで撚り合わせるとともに、押さえ巻きテーピング機８において撚り合わせた後の複数の通信ケーブル５の周囲に押さえ巻きテープ９を巻き付けて固定するような加工が行われる。加工中のブランチケーブル２は、引取機１０により引き取られ、下流側の作業台１１へ送り出される。ここまでの加工は、第１ケーブル分岐部分１５となる位置まで行われる。
【００３５】
第１ケーブル分岐部分１５となる位置がくるまでは、ステップＳ２の判断によりステップＳ１の工程が行われる。これにより、ブランチケーブル２がケーブル端末部１４から上方へ徐々に加工される。加工されたブランチケーブル２は、作業台１１を通過して巻取りスタンド１２のドラム１３に巻き取られる。
【００３６】
加工が続けられ、第１ケーブル分岐部分１５となる位置がくると（ステップＳ２でＹ）、ステップＳ３での抜き取り切断の工程が行われる。この工程では、電気配線図面の指示長で分岐対象の通信ケーブル５が加工中のブランチケーブル２から抜き取り切断される。ステップＳ３の抜き取り切断の工程では、作業台１１が使用され、作業員によって作業が行われる。尚、サプライスタンド３と撚り機７との間に自動切断機を備えて、分岐対象の通信ケーブル５を切断した後に抜き取りをするような工程に変えてもよいものとする。
【００３７】
分岐対象の通信ケーブル５が抜き取り切断されて第１ケーブル分岐部分１５に分岐線が形成されると、ステップＳ４で示すように、通信ケーブル５の先端にラベル１８を取り付ける、識別の付加の工程が行われる。識別の付加の工程は、作業台１１が使用され、作業員によって作業が行われる。尚、ラベル１８をケーブル端末部１４の位置において取り付ける場合には、ステップＳ１の工程の最初で行われるものとする。
【００３８】
以上で第１ケーブル分岐部分１５までの加工が完了する（１セット目が完了）。本形態のブランチケーブル２は、第２ケーブル分岐部分１６、第３ケーブル分岐部分１７も有するものであることから、ステップＳ５の判断によりステップＳ１の工程へ戻り、このステップＳ１からの工程が繰り返し行われる（トータルで３セット行う）。
【００３９】
最後の分岐部分となる第３ケーブル分岐部分１７までの加工が完了すると（ステップＳ５でＹ）、ステップＳ６へ移行してケーブル吊り上げ部分１９への加工を施す工程が行われる。この工程では、最終的に作業台１１上で作業員によって支持線６の端部に吊り上げ用の治具２０を取り付けると一連の加工が完了する。そして、ドラム１３に巻き取られることによってブランチケーブル２の製造が完了する。
【００４０】
図１及び図２を参照しながら説明してきたように、本発明は従来例と異なり、撚り戻し工程をブランチケーブル製造工程に組み込むような製造方法になることから、製造に係るリードタイムを短縮することができるという効果を奏する。また、本発明は、分岐対象となる通信ケーブル５を、ロスの発生が出ないよう所定長さで抜き取り切断する製造方法になることから、従来よりもケーブルのロスを削減することができるという効果を奏する。さらに、本発明は、サプライスタンド３、巻取りスタンド１２を固定した状態で撚り機７のみを回転運動させるＳＺ撚り機を用いていることから、装置を従来よりも小型化することができるという効果を奏するとともに、製造時に安全に作業をすることができるという効果を奏する。
【００４１】
その他、本発明は本発明の主旨を変えない範囲で種々変更実施可能なことは勿論である。
【００４２】
尚、ステップＳ１での撚り及び押さえ巻きの工程に変えて行うことが可能な上記撚り及びテープ結束の工程は、撚り機７において支持線６の周囲に通信ケーブル５を複数、ＳＺ撚りで撚り合わせるとともに、図示しないテープ結束機において撚り合わせた後の複数の通信ケーブル５の周囲に結束テープ２１（図２（ｄ）参照）を巻き付けて固定するような加工を含んでいるものとする。結束テープ２１は、ＳＺ撚りで、撚りが反転する部分に施されるものとする。
【図面の簡単な説明】
【００４３】
【図１】本発明のブランチケーブルの製造方法に係る製造手順を示すフローチャートである。
【図２】（ａ）は製造ラインの構成説明図、（ｂ）はブランチケーブルの構成説明図、（ｃ）ブランチケーブルの模式的な全体図、（ｄ）は他のブランチケーブルの構成説明図である。
【図３】従来例のブランチケーブルの端面図である。
【図４】ナンバリングのイメージ図である。
【図５】従来例のブランチケーブルの布設例を示す図である。
【符号の説明】
【００４４】
１  製造ライン
２  ブランチケーブル
３  サプライスタンド
４  ドラム
５  通信ケーブル
６  支持線
７  撚り機
８  押さえ巻きテーピング機
９  押さえ巻きテープ
１０  引取機
１１  作業台
１２  巻取りスタンド
１３  ドラム（又はタバ）
１４  ケーブル端末部
１５  第１ケーブル分岐部分
１６  第２ケーブル分岐部分
１７  第３ケーブル分岐部分
１８  ラベル
１９  ケーブル吊り上げ部分
２０  治具
２１  結束テープ
【図１】
2007005040.tif 000003
【図２】
2007005040.tif 000004
【図３】
2007005040.tif 000005
【図４】
2007005040.tif 000006
【図５】
2007005040.tif 000007